(57)【要約】      （修正有）【課題】リモートコントロールの方式によって電灯の光度を調整できる装置を提供する。【解決手段】発射器２０と接収器３０とロード４０とを含むリモートコントロール式光度調整装置１０であって、発射器２０には光度スイッチとオン・オフスイッチを有するスイッチ回路２２と信号発射回路２４とが設けられ、接収器３０には、信号接収回路３２とコンバーター３４と光度制御回路３５とオン・オフ制御回路３６とが設けられ、発射器２０の信号発射回路２４が接収器３０の信号接収回路３２と無線に連結し、ロード４０は、接収器３０の光度制御回路３５及びオン・オフ制御回路３６と電気的に連接し、スイッチ回路２２の光度スイッチ２２１を触発すると、光度制御回路３５が切り替えられロード４０の光度が調整され、なおスイッチ回路２２のオン・オフスイッチ２２２を触発すると、オン・オフ制御回路３６が切り替えられロード４０がオン・オフされる。【選択図】図１
0003146452.tif 000002
【実用新案登録請求の範囲】
【請求項１】
発射器と、接収器と、ロードと、を含むリモートコントロール式光度調整装置において、
前記発射器には、光度スイッチとオン・オフスイッチを有するスイッチ回路と、信号発射回路と、が設けられており、
前記接収器には、信号接収回路と、コンバーターと、光度制御回路と、オン・オフ制御回路と、が設けられており、前記発射器の信号発射回路が前記接収器の信号接収回路と無線に連結しており、
前記ロードは、前記接収器の光度制御回路及びオン・オフ制御回路と電気的に連接しており、前記スイッチ回路の光度スイッチを触発すると、前記コンバーターの切替スイッチにより前記光度制御回路が切り替えられ前記ロードの光度が調整され、なお、前記スイッチ回路のオン・オフスイッチを触発すると、前記コンバーターの切替スイッチにより前記オン・オフ制御回路が切り替えられ前記ロードがオン・オフされることを特徴とする、リモートコントロール式光度調整装置。
【請求項２】
前記発射器は、更に、インコードチップを有し、前記インコードチップが前記スイッチ回路と前記信号発射回路を電気的に連接する回線の途中に設けられており、前記インコードチップは、前記光度スイッチの光度信号と、前記オン・オフスイッチのオン・オフ信号と、をそれぞれ接収してこれらの信号をインコードし、前記信号発射回路は発射アンテナを有し、前記信号発射回路は接収したインコード信号を変調して前記発射アンテナに通じて発射し、
前記接収器は、更に、ディコードチップを有し、前記ディコードチップは、前記信号接収回路と電気的に連接しており、復調信号を接収してディコードし、前記信号接収回路は接収アンテナを有し、前記信号接収回路は、前記接収アンテナに通じて前記発射器からのインコード信号を接収して復調を行い、前記コンバーターは、前記ディコードチップと電気的に連接しており、切替スイッチを有し、前記切替スイッチは、前記ディコードチップが前記光度制御回路、又は前記オン・オフ制御回路と電気的に連接することを切り替えるためのものであることを特徴とする、請求項１に記載のリモートコントロール式光度調整装置。
【請求項３】
前記コンバーターには、更に、前記切替スイッチと電気的に連接しているシングルチップが設けられており、前記ディコードチップのディコード信号は、前記シングルチップに伝送されて、前記シングルチップのビルドインプログラムによって前記発射器のスイッチ回路の光度スイッチ又はオン・オフスイッチが触発されたかを判断して、その判断結果に基づいて、前記コンバーターの切替スイッチによって前記光度制御回路又は前記オン・オフ制御回路を制御することを特徴とする、請求項２に記載のリモートコントロール式光度調整装置。
【請求項４】
前記信号発射回路は、接収したインコード信号を振幅シフトキー変調し、又は周波数シフトキー変調することを特徴とする、請求項２に記載のリモートコントロール式光度調整装置。
【請求項５】
前記コンバーターの切替スイッチは、機械式スイッチのリレー、又は電子式スイッチのトランジスターであることを特徴とする、請求項２に記載のリモートコントロール式光度調整装置。
【請求項６】
前記ロードは電灯であることを特徴とする、請求項２に記載のリモートコントロール式光度調整装置。
【考案の詳細な説明】
【技術分野】
【０００１】
本考案は、調整装置に係り、特にリモートコントロール式光度調整装置に関する。
【背景技術】
【０００２】
従来、電灯の制御方式はスイッチによって電灯のオン・オフを制御するが、ユーザはスイッチに接近してオン・オフをすることが必要であるため、使用が極めて不便であった。
【考案の開示】
【考案が解決しようとする課題】
【０００３】
本考案の主な目的は、リモートコントロールの方式によって電灯の光度を調整することができるリモートコントロール式光度調整装置を提供することにある。
【課題を解決するための手段】
【０００４】
本考案の請求項１に記載のリモートコントロール式光度調整装置によると、発射器と、接収器と、ロードと、を含むリモートコントロール式光度調整装置において、前記発射器には、光度スイッチとオン・オフスイッチを有するスイッチ回路と、信号発射回路と、が設けられており、前記接収器には、信号接収回路と、コンバーターと、光度制御回路と、オン・オフ制御回路と、が設けられており、前記発射器の信号発射回路が前記接収器の信号接収回路と無線に連結しており、前記ロードは、前記接収器の光度制御回路及びオン・オフ制御回路と電気的に連接しており、前記スイッチ回路の光度スイッチを触発すると、前記コンバーターの切替スイッチにより前記光度制御回路が切り替えられ前記ロードの光度が調整され、なお、前記スイッチ回路のオン・オフスイッチを触発すると、前記コンバーターの切替スイッチにより前記オン・オフ制御回路が切り替えられ前記ロードがオン・オフされることを特徴とするリモートコントロール式光度調整装置である。
【０００５】
本考案の請求項２に記載のリモートコントロール式光度調整装置によると、前記発射器は、更に、インコードチップを有し、前記インコードチップが前記スイッチ回路と前記信号発射回路を電気的に連接する回線の途中に設けられており、前記インコードチップは、前記光度スイッチの光度信号と、前記オン・オフスイッチのオン・オフ信号と、をそれぞれ接収してこれらの信号をインコードし、前記信号発射回路は発射アンテナを有し、前記信号発射回路は接収したインコード信号を変調して前記発射アンテナに通じて発射し、
前記接収器は、更に、ディコードチップを有し、前記ディコードチップは、前記信号接収回路と電気的に連接しており、復調信号を接収してディコードし、前記信号接収回路は接収アンテナを有し、前記信号接収回路は、前記接収アンテナに通じて前記発射器からのインコード信号を接収して復調を行い、前記コンバーターは、前記ディコードチップと電気的に連接しており、切替スイッチを有し、前記切替スイッチは、前記ディコードチップが前記光度制御回路、又は前記オン・オフ制御回路と電気的に連接することを切り替えるためのものである。
【０００６】
本考案の請求項３に記載のリモートコントロール式光度調整装置によると、前記コンバーターには、更に、前記切替スイッチと電気的に連接しているシングルチップが設けられており、前記ディコードチップのディコード信号は、前記シングルチップに伝送されて、前記シングルチップのビルドインプログラムによって前記発射器のスイッチ回路の光度スイッチ又はオン・オフスイッチが触発されたかを判断して、その判断結果に基づいて、前記コンバーターの切替スイッチによって前記光度制御回路又は前記オン・オフ制御回路を制御する。
【０００７】
本考案の請求項４に記載のリモートコントロール式光度調整装置によると、前記信号発射回路は、接収したインコード信号を振幅シフトキー変調(Amplitude  Shifting  Key  Modulation)し、又は周波数シフトキー変調(Frequency  Shifting  Key  Modulation)する。
【０００８】
本考案の請求項５に記載のリモートコントロール式光度調整装置によると、前記コンバーターの切替スイッチは、機械式スイッチのリレーでもいいし、電子式スイッチのトランジスターでもよい。
本考案の請求項６に記載のリモートコントロール式光度調整装置によると、前記ロードは電灯である。
【考案の効果】
【０００９】
本考案のリモートコントロール式光度調整装置によれば、リモートコントロールの方式によって電灯の光度を調整することができるという効果を奏する。
【考案を実施するための最良の形態】
【００１０】
以下、本考案の実施の形態を図面に基づいて説明する。
【００１１】
まず、図１を参照する。本考案に係るリモートコントロール式光度調整装置１０は、発射器２０と、接収器３０と、を含む。
前記発射器２０は、電源回路２１と、スイッチ回路２２と、インコードチップ２３と、信号発射回路２４と、を有する。
前記電源回路２１は、電池と連接しており、発射器２０に電流を供給する。
【００１２】
前記スイッチ回路２２には、光度スイッチ２２１と、オン・オフスイッチ２２２と、が設けられており、前記光度スイッチ２２１及びオン・オフスイッチ２２２がボタンであり、前記光度スイッチ２２１は、光度信号を制御するためのものであり、インコードチップ２３に合せて使用され、前記オン・オフスイッチ２２２は、オン・オフ信号を制御するためのものであり、インコードチップ２３に合せて使用される。
【００１３】
前記インコードチップ２３は、スイッチ回路２２と電気的に連接しており、光度スイッチ２２１からの光度信号と、オン・オフスイッチ２２２からのオン・オフ信号と、を接収してインコードする。
前記信号発射回路２４は、前記インコードチップ２３と電気的に連接しており、発射アンテナ２４１を有し、接収したインコード信号を振幅シフトキー変調(Amplitude  Shifting  Key  Modulation)し、又は周波数シフトキー変調(Frequency  Shifting  Key  Modulation)して、発射アンテナ２４１に通じて外部に発射する。
【００１４】
前記接収器３０は、電源回路３１と、信号接収回路３２と、ディコードチップ３３と、コンバーター３４と、光度制御回路３５と、オン・オフ制御回路３６と、を有する。
前記電源回路３１は、市電と連接しており、接収器３０に電流を供給する。
前記信号接収回路３２は、超再生接収回路でもいいし、超ヘテロダイン接収回路でもよく、接収アンテナ３２１を有し、接収アンテナ３２１に通じて発射器２０からのインコード信号を復調する。
【００１５】
前記ディコードチップ３３は、信号接収回路３２と電気的に連接しており、復調された信号を接収してディコードする。
前記コンバーター３４は、ディコードチップ３３と電気的に連接しており、切替スイッチ３４１を有し、前記切替スイッチ３４１は、機械式スイッチ（リレー）でもいいし、電子式スイッチト（ランジスター）でもよく、前記切替スイッチ３４１は、前記ディコードチップ３３が前記光度制御回路３５、又は前記オン・オフ制御回路３６と電気的に連接することを切り替えるためのものである。
【００１６】
前記光度制御回路３５は、コンバーター３４と電気的に連接しており、前記発射器２０のスイッチ回路２２の光度スイッチ２２１が触発されると、前記コンバーター３４の切替スイッチ３４１により前記光度制御回路３５が切り替えられ前記ロード４０の光度が調整される。
前記オン・オフ制御回路３６は、コンバーター３４と電気的に連接しており、前記発射器２０のスイッチ回路２２のオン・オフスイッチ２２２が触発されると、前記コンバーター３４の切替スイッチ３４１により前記オン・オフ制御回路３６が切り替えられ前記ロード４０がオン・オフされる。
【００１７】
前記ロード４０は、電灯であり、前記光度制御回路３５及び前記オン・オフ制御回路３６とそれぞれ電気的に連接しており、前記光度制御回路３５が光度制御信号を接収すると、前記ロード４０の光度が調整され、なお、前記オン・オフ制御回路３６がオン・オフ制御信号を接収すると、前記ロード４０がオン・オフされる。
【００１８】
また、図２を参照する。前記コンバーター３４には、更に、前記切替スイッチ３４１と電気的に連接しているシングルチップ３４２が設けられており、前記ディコードチップ３３のディコード信号は、前記シングルチップ３４２に伝送されて、前記シングルチップ３４２のビルドインプログラムによって前記発射器２０のスイッチ回路２２の光度スイッチ２２１又はオン・オフスイッチ２２２が触発されたかを判断して、その判断結果に基づいて、前記コンバーター３４の切替スイッチ３４１によって前記光度制御回路３５又は前記オン・オフ制御回路３６を制御する。
【図面の簡単な説明】
【００１９】
【図１】本考案のリモートコントロール式光度調整装置の一対多数の状態の概略図
【図２】本考案のリモートコントロール式光度調整装置の多数対多数の状態の概略図
【符号の説明】
【００２０】
１０：リモートコントロール式光度調整装置、２０：発射器、２１：電源回路、２２：スイッチ回路、２３：インコードチップ、２４：信号発射回路、３０：接収器、３１：電源回路、３２：信号接収回路、３３：ディコードチップ、３４：コンバーター、３５：光度制御回路、３６：オン・オフ制御回路、４０：ロード、２２１：光度スイッチ、２２２：オン・オフスイッチ、２４１：発射アンテナ、３２１：接収アンテナ、３４１：切替スイッチ、３４２：シングルチップ。
【図１】
0003146452.tif 000003
【図２】
0003146452.tif 000004